(57)【特許請求の範囲】
【請求項１】
交流電源に接続され、第１の光源を点灯する第１の点灯回路と、前記交流電源から動作電源を生成して動作し、入力する調光信号に応じて前記第１の点灯回路を制御する第１の制御回路と、を有する第１の点灯制御手段と；
前記交流電源に接続されて第２の光源を点灯する第２の点灯回路と、この第２の点灯回路に入力した前記交流電源から動作電源を生成して動作し、前記調光信号に応じて前記第２の点灯回路を制御する第２の制御回路と、を有する第２の点灯制御手段と；
前記第１の制御回路に入力する前記調光信号に応じてオンオフ制御され、前記交流電源および前記第２の点灯回路の電気接続を開閉する開閉手段と；
を具備していることを特徴とする点灯装置。
【請求項２】
前記第１の制御回路は、入力した前記調光信号が第２の光源を点灯する制御信号を含むときに、前記開閉手段をオン制御し、前記調光信号を前記第２の制御回路に出力することを特徴とする請求項１記載の点灯装置。
【請求項３】
第１および第２の光源と；
この第１および第２の光源を配設している装置本体と；
前記第１および第２の光源を点灯制御する請求項１または２記載の点灯装置と；
を具備していることを特徴とする照明装置。
【発明の詳細な説明】
【技術分野】
【０００１】
本発明の実施形態は、調光信号に応じて光源を点灯する点灯装置および照明装置に関する。
【背景技術】
【０００２】
照明装置には、使用場所、時間や雰囲気などに応じて、照明光の光色および出力を可変するものがある。この照明装置は、発光色の異なる複数の光源を備えて、例えば各光源の放射光の組み合わせや放射光の強度（調光）の組み合わせにより、様々な色光に変化させている。
【０００３】
そして、複数の光源は、それぞれ個別の点灯制御回路により点灯制御されている。各点灯制御回路には、交流電源から交流電力が供給され、外部の調光器から光源の調光に関する調光情報を含む調光信号が入力されている。当該調光信号は、例えばＰＷＭ（パルス幅変調）方式の調光信号であり、各点灯制御回路は、調光信号のデューティ比によって光源を調光点灯している（例えば特許文献１参照。）。そして、各点灯制御回路は、常時、調光信号をモニタリングしており、調光信号の入力に応じて直ちに光源を点灯させている。
【先行技術文献】
【特許文献】
【０００４】
【特許文献１】特開２０１３−２３５６９２号公報（第４−５頁、第１図）
【発明の概要】
【発明が解決しようとする課題】
【０００５】
しかしながら、各点灯制御回路は、常時、調光信号をモニタリングしていると、調光信号が入力されない場合、あるいは調光信号が光源を調光点灯する調光情報を含まない場合であっても、待機電力が発生する。そして、照明装置での待機電力は、光源を個別に点灯制御する点灯制御回路の数量が多くなる程、大きくなり、省電力化の妨げになるという欠点を有する。
【０００６】
本発明の実施形態は、調光信号の入力における待機電力の削減が図れる点灯装置および照明装置を提供することを目的とする。
【課題を解決するための手段】
【０００７】
本実施形態の点灯装置は、第１の点灯制御手段、第２の点灯制御手段および開閉手段を有して構成される。
【０００８】
第１の点灯制御手段は、第１の点灯回路および第１の制御回路を有して形成される。第１の点灯回路は、交流電源に接続され、第１の光源を点灯する。第１の制御回路は、交流電源から動作電源を生成して動作し、入力する調光信号に応じて第１の点灯回路を制御する。
【０００９】
第２の点灯制御手段は、第２の点灯回路および第２の制御回路を有して形成される。第２の点灯回路は、交流電源に接続されて第２の光源を点灯する。第２の制御回路は、第２の点灯回路に入力した交流電源から動作電源を生成して動作し、調光信号に応じて第２の点灯回路を制御する。
【００１０】
開閉手段は、第１の制御回路に入力する調光信号に応じてオンオフ制御される。これによって、交流電源および第２の点灯回路の電気接続を開閉する。
【発明の効果】
【００１１】
本実施形態の点灯装置によれば、第２の点灯制御手段は、開閉手段を介して交流電源に接続されるので、調光信号により第２の光源が調光点灯されないときには、開閉手段をオフ制御することにより、第２の点灯制御手段での待機電力が発生しなくなり、これにより、調光信号の入力における待機電力の削減が期待できる。
【図面の簡単な説明】
【００１２】
【図１】本発明の一実施形態を示す照明装置および点灯装置の概略ブロック図である。
【発明を実施するための形態】
【００１３】
以下、本発明の一実施形態について、図１を参照して説明する。
【００１４】
本実施形態の照明装置１は、例えば住宅の天井に直付けされるＬＥＤシーリングライトであり、装置本体２、この装置本体２に配設された第１〜第３の光源３，４，５および点灯装置６を有して構成されている。装置本体２は、例えば丸型の既知の構造に形成される。第１〜第３の光源３，４，５は、それぞれ発光色の異なるＬＥＤ、例えばそれぞれ赤色光、緑色光、青色光を放射するＬＥＤからなり、装置本体２に例えば同心円状に配設されている。そして、第１〜第３の光源３，４，５は、例えば壁に設けられた調光器からの調光信号によりそれぞれの光出力が可変される。
【００１５】
そして、本実施形態の点灯装置６は、第１の点灯制御手段としての第１の点灯制御回路７、第２の点灯制御手段としての第２および第３の点灯制御回路８，９、開閉手段１０，１１および調光信号入出力回路１２を有して構成されている。
【００１６】
第１の点灯制御回路７は、第１の点灯回路１３および第１の制御回路１４を有して形成されている。また、第２の点灯制御回路８は、第２の点灯回路１５および第２の制御回路１６を有して形成されている。また、第３の点灯制御回路９は、第３の点灯回路１７および第３の制御回路１８を有して形成されている。
【００１７】
第１の点灯制御回路７において、第１の点灯回路１３は、その入力側が例えば不図示の壁スイッチを介して交流電源Ｖｓに接続され、その出力側が第１の光源３に接続されている。そして、第１の点灯回路１３は、交流電源Ｖｓを直流電源に変換し、調光信号に応じた電流を第１の光源３に出力して、第１の光源３を点灯するように形成されている。例えば、交流電圧を直流電圧に変換する整流回路または整流平滑回路と、直流電圧を調整して調光信号に応じた電流を第１の光源３に供給する降圧チョッパ回路などの電圧調整回路とを有して形成されている。
【００１８】
第１の制御回路１４は、マイコンを有して形成されている。そして、第１の制御回路１４は、第１の点灯回路１３から直流電圧を入力し、当該直流電圧から所定電圧の動作電源を生成して動作している。例えば、交流電源Ｖｓの交流電圧を整流平滑した整流平滑回路の出力電圧を入力して動作電源を生成している。第１の制御回路１４は、不図示の壁スイッチがオンされ、交流電源Ｖｓが第１の点灯回路１３に入力しているときには、常に動作している。
【００１９】
また、第１の制御回路１４は、調光器から送信された調光信号を調光信号入出力回路１２から常時入力している。すなわち、調光器から送信される調光信号を常時監視している。そして、第１の制御回路１４は、入力した調光信号が第１の光源３を点灯する制御信号を含むときには、第１の光源３に調光信号に応じた電流が供給されるように第１の点灯回路１３を制御するように形成されている。例えば、電圧調整回路（例えば降圧チョッパ回路）の電界効果トランジスタをオンオフ制御する。
【００２０】
また、第１の制御回路１４は、入力した調光信号が第２の光源４を点灯する制御信号を含むときには、開閉手段１０をオン制御するとともに、調光信号を第２の点灯制御回路８の第２の制御回路１６に出力するように形成されている。また、入力した調光信号が第３の光源５を点灯する制御信号を含むときには、開閉手段１１をオン制御するとともに、調光信号を第３の点灯制御回路９の第３の制御回路１８に出力するように形成されている。
【００２１】
第２の点灯制御回路８において、第２の点灯回路１５は、その入力側が開閉手段１０を介して交流電源Ｖｓに接続され、その出力側が第２の光源４に接続されている。第２の点灯回路１５は、開閉手段１０が第１の制御回路１４によりオン制御されることにより、交流電源Ｖｓを入力する。そして、第２の点灯回路１５は、第１の点灯回路１３と同様に形成され、調光信号に応じた電流を第２の光源４に出力して、第２の光源４を点灯するように形成されている。
【００２２】
第２の制御回路１６は、マイコンを有して形成されており、第１の制御回路１４と同様に、第２の点灯回路１５の例えば整流平滑回路から出力される直流電圧を入力し、当該直流電圧から所定電圧の動作電源を生成して動作する。すなわち、第２の制御回路１６は、第２の点灯回路１５に入力した交流電源Ｖｓから動作電源を生成して動作する。したがって、第２の制御回路１６は、開閉手段１０がオフ制御されていると動作しなく、開閉手段１０がオン制御されていると動作する。そして、第２の制御回路１６は、動作時に、入力した調光信号に応じて第２の点灯回路１５を制御するように形成され、第２の光源４が調光信号に応じた点灯をするようにしている。
【００２３】
第３の点灯制御回路９において、第３の点灯回路１７は、その入力側が開閉手段１１を介して交流電源Ｖｓに接続され、その出力側が第３の光源５に接続されている。以下、第３の点灯回路１７は、第２の点灯回路１５と同様に形成されており、調光信号に応じた電流を第３の光源５に出力して、第３の光源５を点灯するように形成されている。
【００２４】
また、第３の制御回路１８は、マイコンを有して第２の制御回路１６と同様に形成されており、開閉手段１１がオフ制御されていると動作しなく、開閉手段１１がオン制御されていると動作する。そして、第３の制御回路１８は、動作時に、入力した調光信号に応じて第３の点灯回路１７を制御する。
【００２５】
開閉手段１０は、交流電源Ｖｓおよび第２の点灯回路１５の間に接続されており、交流電源Ｖｓおよび第２の点灯回路１５の電気接続を開閉する。また、開閉手段１１は、交流電源Ｖｓおよび第３の点灯回路１７の間に接続されており、交流電源Ｖｓおよび第３の点灯回路１７の電気接続を開閉する。そして、開閉手段１０，１１は、第１の制御回路１４によりオンオフ制御される。すなわち、開閉手段１０，１１は、第１の制御回路１４から出力される制御電流によってオン制御される。
【００２６】
開閉手段１０，１１は、リレーまたはトライアックやサイリスタなどの半導体スイッチを用いることができる。第１の制御回路１４から開閉手段１０，１１に出力される制御電流は、リレーの場合には、例えば２０〜３０ｍＡであり、半導体スイッチの場合には、メーカーや品種などによって異なるが、数μＡ〜数十μＡあるいは数mＡ〜数十mＡである。したがって、開閉手段１０，１１をオン制御しているときの第１の制御回路１４での消費電力は、極めて小さいものである。また、ラッティングリレーを用いると、オン制御およびオフ制御するときにのみ制御電流を流すので、これにおける第１の制御回路１４での消費電力は、無視できるものである。
【００２７】
そして、第１の制御回路１４は、入力した調光信号が第２の光源４を点灯する制御信号を含むときに、開閉手段１０に制御電流を供給して開閉手段１０をオンにする。また、入力した調光信号が第３の光源５を点灯する制御信号を含むときに、開閉手段１１に制御電流を供給して開閉手段１１をオンにする。すなわち、開閉手段１０，１１は、第１の制御回路１４に入力する調光信号に応じてオンオフ制御される。
【００２８】
開閉手段１０がオンすることにより、第２の制御回路１６が動作し、第２の点灯回路１６により、第２の光源４が点灯される。また、開閉手段１１がオンすることにより、第３の制御回路１８が動作し、第３の点灯回路１７により、第３の光源５が点灯される。
【００２９】
調光信号入出力回路１２は、調光器から出力された調光信号を入力し、当該調光信号を直ちに第１の制御回路１４に入力するように形成されている。また、第１の制御回路１４の制御により、入力した調光信号あるいは第１の制御回路１４により複製した調光信号を第２の制御回路１６および第３の制御回路１８に出力するように形成されている。
【００３０】
次に、本発明の実施形態の作用について述べる。
【００３１】
住宅に設けられた壁スイッチがオンされると、第１の点灯制御回路７の第１の点灯回路１３に交流電源Ｖｓが入力され、第１の制御回路１４が動作する。第１の制御回路１４は、調光器から送信される調光信号を調光信号入出力回路１２からの出力において常時監視する。このとき、第１の制御回路１４は、開閉手段１０，１１に制御電流を出力しなく、開閉手段１０，１１をオフ制御する。これにより、第2の点灯制御回路8および第3の点灯制御回路9には、交流電源Ｖｓが入力しなくなる。
【００３２】
第1の点灯制御回路7は、交流電源Ｖｓの入力によって、第1の点灯回路１３の自己放電や第１の制御回路１４の動作による待機電力が発生する。しかし、第２および第３の点灯制御回路８，９は、それぞれの第２および第３の制御回路１６，１８が動作しないので、待機電力が発生しない。
【００３３】
そして、調光器から調光信号が送信されると、調光信号入出力回路１２は、当該調光信号を第１の制御回路１４に出力する。第１の制御回路１４は、入力した調光信号に第１〜第３の光源３，４，５を点灯する制御信号が含まれているか否かを判断する。そして、調光信号に第１の光源３を点灯する制御信号が含まれていると、当該制御信号に応じて第１の点灯回路１３を制御する。第１の光源３は、調光信号に応じた電流が流れて調光点灯し、赤色光を放射する。
【００３４】
第１の制御回路１４は、調光信号に第２の光源４または第３の光源５を点灯する制御信号が含まれていないと、開閉手段１０または開閉手段１１をオフ制御する。そして、調光信号に第２の光源４または第３の光源５を点灯する制御信号が含まれていると、開閉手段１０または開閉手段１１をオン制御するとともに、調光信号を複製して、調光信号入出力回路１２から第２の制御回路１６または第３の制御回路１８に出力する。
【００３５】
開閉手段１０がオンすると、交流電源Ｖｓが第２の点灯制御回路８の第２の点灯回路１５に入力されて、第２の制御回路１６が動作する。第２の制御回路１６は、動作により電力を消費する。そして、第２の制御回路１６は、入力した調光信号の制御信号に応じて第２の点灯回路１５を制御する。第２の光源４は、調光信号に応じた電流が流れて調光点灯し、緑色光を放射する。
【００３６】
また、開閉手段１１がオンすると、交流電源Ｖｓが第３の点灯制御回路９の第３の点灯回路１７に入力されて、第３の制御回路１８が動作する。第３の制御回路１８は、動作により電力を消費する。そして、第３の制御回路１８は、入力した調光信号の制御信号に応じて第３の点灯回路１７を制御する。第３の光源５は、調光信号に応じた電流が流れて調光点灯し、青色光を放射する。
【００３７】
そして、第１の制御回路１４において、開閉手段１０，１１をオン制御する消費電力は、極めて小さい。したがって、開閉手段１０，１１を設けないことによって、第２および第３の点灯制御回路８，９で消費される待機電力の合計電力量は、開閉手段１０，１１をオン制御する消費電力を超えるものである。特に、開閉手段１０，１１にラッティングリレーを用いると、その開閉に対する消費電力が無視できるほどに極小であり、開閉手段１０，１１の具備は、待機電力の削減に影響しなくなる。
【００３８】
上述したように、第１の制御回路１４に入力する調光信号に第２の光源４または第３の光源５を点灯する制御信号が含まれていないと、第２の点灯制御回路８または第３の点灯制御回路９で待機電力が発生しないので、調光信号の入力における待機電力が削減される。これにより、点灯装置６および照明装置１の省電力化が図れる。そして、照明装置１は、調光信号に応じて放射される第１〜第３の光源３，４，５からの赤色光、緑色光、青色光の混合およびそれらの光出力によって様々な色光の照明光が得られる。
【００３９】
本実施形態の点灯装置６によれば、第２および第３の点灯制御回路８，９は、開閉手段１０，１１を介して交流電源Ｖｓに接続され、調光信号により第２および第３の光源４，５が調光点灯されないときには、開閉手段１０，１１がオフ制御されるので、第２および第３の点灯制御回路８，９での待機電力が発生しなくなり、これにより、調光信号の入力における待機電力を削減することができるという効果を有する。そして、照明装置１は、点灯装置６での待機電力が削減されることにより、省電力化されるという効果を有する。
【００４０】
そして、第１の点灯制御回路８の第１の制御回路１３は、入力した調光信号が第２の光源４または第３の光源５を点灯する制御信号を含むときに、開閉手段１０または開閉手段１１をオン制御し、調光信号を第２の制御回路１６または第３の制御回路１８に出力するので、簡素な構成で、調光信号の入力における待機電力を削減できるという効果を有する。
【００４１】
なお、本実施形態において、第２の点灯制御手段として、第２の点灯制御回路８および第３の点灯制御回路９を用いたが、第２の点灯制御回路８のみであってもよく、さらに第４の光源を点灯制御する第４の点灯制御回路を設けてもよい。また、調光信号入出力回路１２は、入力した調光信号を第１の制御回路１４の制御によらずに、第２の制御回路１６および第３の制御回路１８に出力するものであってもよい。この場合、第２の制御回路１６および第３の制御回路１８は、動作していないと、調光信号を入力しない。
【００４２】
また、本発明の上述した実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００４３】
１…照明装置、  ２…装置本体、  ３…第１の光源、  ４…第２の光源、  ６…点灯装置、  ７…第１の点灯制御手段としての第１の点灯制御回路、  ８…第２の点灯制御手段としての第２の点灯制御回路、  １０…開閉手段、  １３…第１の点灯回路、  １４…第１の制御回路、  １５…第２の点灯回路、  １６…第２の制御回路
【図１】
0006376017.tif 000002